(57)【要約】【課題】リール外周面に描くシンボルの大きさを、従来より大きくすることが可能であり、また、リールを安価に作成可能なスロットマシンを提供する。【解決手段】スロットマシンの横方向配置の複数のリール（３２）のそれぞれは、シンボルＳＢが表示されたリール本体部（円筒部３２ａ）と、該リール本体部の回転中心から放射状に配設され、該回転中心にモータの出力軸（３４ａ）が接続されるリブ（３２ｂ）とを備えてなり、前記リール本体部は、当該リール本体部の中心軸に対してテーパ（α）を有してなる構成としてある。【選択図】      図２
2004321436.tif 000002
【特許請求の範囲】
【請求項１】
複数のシンボルが表示された複数のリールが横方向に配置され、該複数のリールが遊技者の操作によって任意に回転及び停止され、すべてのリールが停止したときに、各リールを結ぶ所定の当選ライン上のシンボルが、所定の入賞組合せに配列されると、その組合せに応じたメダルが払い出されるスロットマシンにおいて、
前記横方向配置の複数のリールのそれぞれは、前記シンボルが表示されたリール本体部と、該リール本体部の回転中心から放射状に配設され、該回転中心にモータの出力軸が接続されるリブとを備えてなり、
前記リール本体部は、当該リール本体部の中心軸に対してテーパを有してなることを特徴とするスロットマシン。
【請求項２】
請求項１記載のスロットマシンにおいて、
前記テーパを有するリール本体部を備えたリールは、複数が横方向配置された場合に、当該スロットマシンに対峙する遊技者側から見て、一直線状になるように配置されたことを特徴とするスロットマシン。
【請求項３】
請求項１記載のスロットマシンにおいて、
前記テーパを有するリール本体部を備えたリールは、複数が横方向配置された場合に、当該スロットマシンに対峙する遊技者側から見て、テーパが同一方向になるように配置されたことを特徴とするスロットマシン。
【請求項４】
複数のシンボルが表示された複数のリールが横方向に配置され、該複数のリールが遊技者の操作によって任意に回転及び停止され、すべてのリールが停止したときに、各リールを結ぶ所定の当選ライン上のシンボルが、所定の入賞組合せに配列されると、その組合せに応じたメダルが払い出されるスロットマシンにおいて、
前記横方向配置の複数のリールのそれぞれは、前記シンボルが表示されたリール本体部と、該リール本体部の回転中心から放射状に配設され、該回転中心にモータの出力軸が接続されるリブとを備えてなり、
前記リール本体部は、当該リール本体部の中心軸に対してテーパを有してなるものと、前記中心軸に対して平行なものとの双方を含むことを特徴とするスロットマシン。
【請求項５】
請求項４記載のスロットマシンにおいて、
前記横方向配置されたリールは３個からなり、該３個のリールの内、中央のリールは前記中心軸に対して平行なリール本体部を備えたリールであり、左右のリールは前記中心軸に対してテーパを有するリール本体部を備えたリールであることを特徴とするスロットマシン。
【請求項６】
請求項１〜請求項５記載のスロットマシンにおいて、
前記テーパを有するリール本体部とリブとを備えてなるリールは、一体成形されたことを特徴とするスロットマシン。
【発明の詳細な説明】
【０００１】
【発明の属する技術分野】
本発明は、スロットマシンに関し、特に、リール外周面に描くシンボルの大きさを、従来より大きくすることが可能であり、また、リールを安価に作成可能なスロットマシンに関する。
【０００２】
【従来の技術】
従来のスロットマシンでは、本体中央部に、外周面に所定間隔で表わされた複数種類のシンボルからなるシンボル列が描かれた複数のリールを回転自在に横方向に並列配置し（リールユニットと称する）、可変表示部を構成している。そして、遊技者からは、本体の正面の表示窓を通して、各リールのシンボルをそれぞれ視認可能である。
【０００３】
図６は、従来のリール関連の構成を示す一例であって、（ａ）はリールユニットの斜視図、（ｂ）はリール単体（リールブロック）の分解斜視図である。
図６（ａ），（ｂ）に示すように、リールユニット１００は、それぞれの外周面に複数種類のシンボルからなるシンボル列が描かれた３個のリール１０１（１０１ａ，１０１ｂ，１０１ｃ）を備えてなる。
【０００４】
３個のリール１０１（１０１ａ，１０１ｂ，１０１ｃ）の内部には、それぞれモータ１０２（１０２ａ，１０２ｂ，１０２ｃ。但し１０２ａのみを図示）が配置され、各リールに対応して設けられたストップボタンの操作により、リール毎に停止する。
【０００５】
モータ１０２（１０２ａ，１０２ｂ，１０２ｃ）は、それぞれモータ取付板１０３（１０３ａ，１０３ｂ，１０３ｃ）に固定する。モータ取付板１０３は、リールユニット側板１０４に固定し、このリールユニット側板１０４の内側に３個のリール１０１，３個のモータ１０２等を収容する。
【０００６】
従来のリールユニット１００においては、以上のモータ取付板等を介在させるという構造上、各リール間には隙間を設け、この隙間を端カバー１０５ａ，１０５ｂ及び中間カバー１０６ａ，１０６ｂにより覆っている。各端カバーおよび中間カバーは、各リールの左右の隙間が充分に隠れるように、隙間の幅より大きい幅を有している（特許文献１）。
そして、図７に示すように、各リール１０１の外周面には、所定間隔で表わされた複数種類のシンボルＳＢからなるシンボル列が描かれており、このシンボル列の連続する３個ずつのシンボルＳＢが、スロットマシンの表示窓１１２を介して遊技者から視認されるようになっている。
【０００７】
【特許文献１】
特開平１１−１１４１３０号公報（第３頁、第２−４図）
【０００８】
そして、遊技者が遊技をする場合には、スロットマシンの投入口に遊技メダルを投入し、横３列に配置された各リールを回転させ、ストップボタンを順次押して各リールを停止させ、停止後のリールの外周面に表示されたシンボルの組合せに応じて、所定の遊技メダルを賞出する。
【０００９】
この場合、遊技者は賞出のあるシンボルの停止位置（例えば、横一列が「７」のシンボル）になるように、この停止位置を予測してストップボタンを押すので、遊技者にしてみれば、シンボルＳＢの大きさが大きいほうが、イメージした停止位置に停止させ易いと考えるし、遊技（ゲーム）の迫力も増す。
【００１０】
【発明が解決しようとする課題】
しかしながら、図７から明らかなように、端カバー１０５ａ，１０５ｂおよび中間カバー１０６ａ，１０６ｂを設けねばならないため、シンボルの大きさ（横幅）は小さくせざるを得なかった。
また、従来のリール１０１ａは、シンボルを描くフィルム状の円筒部とモータの出力軸を取り付けるリブとを別個に成形し、その後、円筒部とリブとを接着固定していたので、リール作成の工数が余分に掛かっていた。
【００１１】
本発明は、このような従来の問題を解決するためになされたものであり、リール外周面に描くシンボルの大きさを、従来より大きくすることが可能であり、また、リールを安価に作成可能なスロットマシンの提供を目的とする。
【００１２】
【課題を解決するための手段】
前記目的を達成するために請求項１記載の発明は、複数のシンボルが表示された複数のリールが横方向に配置され、該複数のリールが遊技者の操作によって任意に回転及び停止され、すべてのリールが停止したときに、各リールを結ぶ所定の当選ライン上のシンボルが、所定の入賞組合せに配列されると、その組合せに応じたメダルが払い出されるスロットマシンにおいて、前記横方向配置の複数のリールのそれぞれは（図２（ａ），（ｂ）、図３の３２）、前記シンボル（図２（ａ）のＳＢ）が表示されたリール本体部（図３の円筒部３２ａ）と、該リール本体部の回転中心から放射状に配設され、該回転中心にモータの出力軸（図２（ｂ），図３の３４ａ）が接続されるリブ（図３の３２ｂ）とを備えてなり、前記リール本体部は、当該リール本体部の中心軸（図２（ｂ）の一点鎖線で表示）に対してテーパ（α）を有してなる構成としてある。
【００１３】
このようにすれば、例えば図２（ａ），（ｂ）、図４に示すように、リール本体部を相互に近づけて配置することができ、端カバーや中間カバー（図６参照）が不要となるので、シンボルＳＢを大きく描くことができる。
【００１４】
また、請求項２記載の発明は、請求項１記載のスロットマシンにおいて、前記テーパを有するリール本体部を備えたリール（図２（ａ），（ｂ）の３２）は、複数が横方向配置された場合に（リールユニットＲＵ１）、当該スロットマシンに対峙する遊技者側から見て（遊技者の眼Ｉ）、一直線状になるように配置された構成としてある。
【００１５】
このようにすれば、例えば図２（ａ），（ｂ）に示すように、シンボルＳＢを大きく描くことが可能となり、また、遊技者の眼Ｉの方向からリールユニットＲＵ１を見た場合に、シンボルＳＢが描かれたリール本体部の表面は、一直線に並んで見えるので、遊技者にとってシンボルＳＢを見る際に違和感が無い。
【００１６】
また、請求項３記載の発明は、請求項１記載のスロットマシンにおいて、前記テーパを有するリール本体部を備えたリール（図４の３２）は、複数が横方向配置された場合に（リールユニットＲＵ２）、当該スロットマシンに対峙する遊技者側から見て（遊技者の眼Ｉ）、テーパが同一方向になるように配置された構成としてある。
【００１７】
このようにすれば、例えば図４に示すように、リール本体部のリブ側と開口部側とが一部重なるようにして配列できるので、従来のカバーが不要となり、また、シンボルＳＢを大きく描くことが可能となる。
【００１８】
また、請求項４記載の発明は、複数のシンボルが表示された複数のリールが横方向に配置され、該複数のリールが遊技者の操作によって任意に回転及び停止され、すべてのリールが停止したときに、各リールを結ぶ所定の当選ライン上のシンボルが、所定の入賞組合せに配列されると、その組合せに応じたメダルが払い出されるスロットマシンにおいて、前記横方向配置の複数のリールのそれぞれは（図５の３２と３２Ａ）、前記シンボルが表示されたリール本体部と、該リール本体部の回転中心から放射状に配設され、該回転中心にはモータの出力軸が接続されるリブとを備えてなり、前記リール本体部は、当該リール本体部の中心軸に対してテーパを有してなるもの（図５の円筒部３２ａ）と、前記中心軸に対して平行なもの（図５の円筒部３２Ａａ）との双方を含む構成としてある。
【００１９】
このようにすれば、例えば図５に示すように、テーパを有するリール本体部の開口部に、テーパを有さないリール本体部の開口部側およびリブ側が一部重なるようにして配列できるので、従来のカバーが不要となり、また、シンボルＳＢを大きく描くことが可能となる。
【００２０】
また、請求項５記載の発明は、請求項４記載のスロットマシンにおいて、前記横方向配置されたリールは３個からなり、該３個のリールの内、中央のリールは前記中心軸に対して平行なリール本体部を備えたリールであり、左右のリールは前記中心軸に対してテーパを有するリール本体部を備えたリールである構成としてある。
【００２１】
このようにすれば、例えば図５に示すように、テーパを有するリール本体部の開口部に、テーパを有さないリール本体部の開口部側およびリブ側が一部重なるようにして配列できるので、従来のカバーが不要となり、また、シンボルＳＢを大きく描くことが可能となる。
【００２２】
さらに、請求項６記載の発明は、請求項１〜請求項５記載のスロットマシンにおいて、前記テーパを有するリール本体部とリブとを備えてなるリールは、一体成形された構成としてある。
【００２３】
このようにすれば、例えば図３に示すリール３２の円筒部３２ａはテーパを有するので、樹脂により一体成形できる。従って、リール３２を安価に作成することができる。
【００２４】
【発明の実施の形態】
以下、本発明の「スロットマシン」を、図示の実施形態に基づいて説明する。スロットマシンの全体構成
図１は、以下に説明する各実施形態を使用するスロットマシンＳＭの正面図である。
【００２５】
図１において、１１は前面パネル、１２は停止したシンボル配列により当りや外れを表示する表示窓であり、該表示窓１２の内部にはリールユニット（図２（ａ），（ｂ）参照）を設置する（後述）。
１３はリールの回転をスタートさせるスタートボタンである。１４はリールの回転をストップさせるストップボタンであり、左リールストップ用の左リールストップボタン１４ａと、同様に中央リールストップボタン１４ｂと、右リールストップボタン１４ｃとからなる。
【００２６】
１５はメダル投入口、１６は投入されたメダルが何個貯留されているかを表示するメダルクレジット表示部である。
１７はＭＡＸ投入ボタンであり、通常は３枚ＢＥＴを指定するスイッチである。
１８（１８ａ，１８ｂ）は、効果音を発生するスピーカ、１９は入賞メダル払出し口、２１は大当たり中のゲーム状態を表示する状態表示部である。
【００２７】
（２）第１の実施形態
図２は本発明の第１の実施形態のリールユニットを拡大して示す図であって、（ａ）は正面図、（ｂ）はＩＩ−ＩＩ線に沿う断面平面図、図３はリールブロックの分解斜視図である。
図２（ａ），（ｂ）、図３に示すように、リールユニットＲＵ１は、３個のリールブロックＲＢを、１個のリールユニット側板３１に取り付けてなる。
リールユニット側板３１は、図２（ｂ）の矢印Ａ方向から見た側面形状がＬ字型であり、底板３１ａと背面板３１ｂとを備えてなる。
【００２８】
３個のリールブロックＲＢは、同一構成である。リールブロックＲＢは、リール３２と、モータ取付板３３と、モータ３４と、照明ボックス３５とを備えてなる。
リール３２は、透光性樹脂からなる短円筒状の円筒部３２ａと、該円筒部３２ａの一端側に５本のリブ３２ｂを備えてなる。円筒部３２ａは水平線Ｈ（図２（ｂ）参照）に対してテーパαを有している。水平線Ｈは、図２（ｂ）における３個のリール３２の一直線状に配置した下端部の並びに一致する。
【００２９】
従って、遊技者の眼Ｉの位置からリールのシンボルＳＢを見ると、平面上に凹凸無しに配列された状態となる。即ち、遊技者は、前記図７に示した状態と同様に、違和感を持つこと無しにシンボルＳＢを見ることができる。
３２ｃは、モータの出力軸３４ａ（後述）を固定する出力軸固定孔である。
【００３０】
また、リール３２を作成する場合には、前記テーパαを金型（図示省略）の抜きテーパとすることができるので、円筒部３２ａとリブ３２ｂとを、樹脂により一体成形することが可能である。
これに対し、従来のリール１０１ａ（図６（ｂ）参照）は、フィルム状の円筒部とリブとを別個に製造し、その後、円筒部とリブとを接着固定していたので、リール作成の工数が余分に掛かっていた。よって、本実施形態によれば、従来例に比較し、リール３２を安価に作成することができる。
【００３１】
リールの円筒部３２ａの外周面には、スロットマシンの図柄を構成する複数のシンボルＳＢが描かれている。図２（ａ）に示すように、各リールの外周面に、所定間隔で表わされた複数種類のシンボルＳＢからなるシンボル列が描かれており、このシンボル列の連続する３個ずつのシンボルＳＢが、スロットマシンの表示窓１２を介して遊技者から視認されるようになっている。このシンボルＳＢは、円筒部３２ａの表面に直接印刷することができる。また、シンボルＳＢは凹凸を付与して形成することもでき、このようにすると、より演出性を高めることができる。
なお、シンボルＳＢをシールに予め印刷しておき、このシールを貼り付けてもよい。また、シンボルＳＢを熱収縮性のフープ（チューブ）に予め印刷しておき、円筒部３２ａの外周面に装着後、加熱して密着させてもよい。
【００３２】
モータ取付板３３は断面形状が略逆コの字状をなし、上辺側には背面板３１ｂに固定するための折返し部３３ａを形成する。この折返し部３３ａによりギャップ３３ｂが形成される。
また、モータ取付板３３の中心部に、モータ３４を固定する。更にモータ取付板３３の下辺部に照明ボックス３５を固定する。照明ボックス３５の内部には、シンボルＳＢを鮮明に浮き上がらせる照明を備える。
【００３３】
そして、リールの円筒部３２ａを、モータ取付板のギャップ３３ｂに挿入し、且つ照明ボックス３５を外側から覆うようにした状態で、リール３２の出力軸固定孔３２ｃにモータの出力軸３４ａの先端部を当接させ、図示省略のネジで固定する。
この際、リール３２がスムーズに回転するためには、円筒部３２ａは、モータ取付板３３および照明ボックス３５に対し、接触しないように前記ネジで固定する。
【００３４】
このようにしてリールブロックＲＢを構成し、モータ取付板の折返し部３３ａを、リールユニット側板の背面板３１ｂに固定した状態が、図２（ａ），（ｂ）に示した状態である。
【００３５】
即ち、前述のように、図２（ａ），（ｂ）において、リールユニット側板の背面板３１ｂに対して、リールブロックＲＢの中心軸はテーパαをなすので、図２（ｂ）の状態でリール３２の下面は、一直線状をなす。従って、遊技客が表示窓１２を介してシンボルＳＢを見た場合に（図２（ａ）参照）、シンボルＳＢは従来例（図７参照）と同様に見ることが可能となり、且つ従来例には必須であった端カバーや中間カバーが不要なので、シンボルＳＢを大きく描くことが可能となる。
よって、遊技客は大きなシンボルＳＢを見ながら、迫力に富んだ遊技をすることが可能となる。
【００３６】
（３）第２の実施形態
図４は本発明の第２の実施形態のリールユニットを示す断面図である。断面の切り口は、前記図２（ａ）に示したＩＩ−ＩＩ線に沿っている。また、図４においては、リールユニット側板，モータ取付板，照明ボックスを省略している。
【００３７】
図４に示すように、リールユニットＲＵ２は、３個のリール３２を、円筒部の開口部３２ｄにリブ３２ｂが入り込むようにして、図示省略のリールユニット側板３１に固定する。
【００３８】
なお、本実施形態の構成では遊技者の眼Ｉの方向からシンボル配列を見た場合に、シンボルが平坦に並んだ状態で見ることができない。
そこで、遊技者の眼Ｉの側に、３個のリールのシンボルが平坦に見えるような光学部材（レンズ等）を配置してもよい。また、平坦に見えるように、各シンボルの向って左側をやや大きく描いても良い。
【００３９】
（４）第３の実施形態
図５は本発明の第３の実施形態のリールユニットの断面図である。断面の切り口は、前記図２（ａ）に示したＩＩ−ＩＩ線に沿っている。また、図４においては、リールユニット側板，モータ取付板，照明ボックスを省略している。
【００４０】
図５において、リールユニットＲＵ３は、左右のリール３２は前記第１，第２の実施形態で使用したリールと同一であるが、中央のリール３２Ａは異ならせてなる。
即ち、リール３２Ａの円筒部３２Ａａはテーパを有しておらず、また円筒部３２Ａａの直径はリールの開口部３２ｄより小さく、更に開口部３２Ａｂ側はリブ側と同様に内側に向って傾斜させる。このように左右を傾斜させるのは、図示省略のモータ取付板とリール３２，３２Ａとが接触するのを防止するためである。
【００４１】
以上、本発明のスロットマシンについて、好ましい実施形態を示して説明したが、本発明に係るスロットマシンは、上述した実施形態にのみ限定されるものではなく、本発明の範囲で種々の変更実施が可能であることは言うまでもない。
例えば、上述した第３の実施形態の構成では遊技者の眼Ｉの方向からシンボル配列を見た場合に、シンボルが平坦に並んだ状態で見ることができない。
そこで、遊技者の眼Ｉの側に、３個のリールのシンボルが平坦に見えるような光学部材（レンズ等）を配置してもよい。また、平坦に見えるように左リール３２の各シンボルの向って左側をやや大きく描き、右リール３２の各シンボルの向って右側をやや大きく描いても良い。
【００４２】
【発明の効果】
以上説明したように、本発明のスロットマシンによれば、以下の効果を発揮することができる。
請求項１記載の発明によれば、例えば図２（ａ），（ｂ）、図４に示すように、リール本体部を相互に近づけて配置することができ、端カバーや中間カバー（図６参照）が不要となるので、シンボルＳＢを大きく描くことができる。
【００４３】
請求項２記載の発明によれば、例えば図２（ａ），（ｂ）に示すように、シンボルＳＢを大きく描くことが可能となり、また、遊技者の眼Ｉの方向からリールユニットＲＵを見た場合に、シンボルＳＢが描かれたリール本体部の表面は、一直線に並んで見えるので、遊技者にとってシンボルＳＢを見る際に違和感が無い。
【００４４】
請求項３記載の発明によれば、例えば図４に示すように、リール本体部のリブ側と開口部側とが一部重なるようにして配列できるので、従来のカバーが不要となり、また、シンボルＳＢを大きく描くことが可能となる。
【００４５】
請求項４記載の発明によれば、例えば図５に示すように、テーパを有するリール本体部の開口部に、テーパを有さないリール本体部の開口部側およびリブ側が一部重なるようにして配列できるので、従来のカバーが不要となり、また、シンボルＳＢを大きく描くことが可能となる。
【００４６】
請求項５記載の発明によれば、例えば図５に示すように、テーパを有するリール本体部の開口部に、テーパを有さないリール本体部の開口部側およびリブ側が一部重なるようにして配列できるので、従来のカバーが不要となり、また、シンボルＳＢを大きく描くことが可能となる。
【００４７】
請求項６記載の発明によれば、例えば図３に示すリール３２の円筒部３２ａはテーパを有するので、樹脂により一体成形できる。従って、リール３２を安価に作成することができる。
【図面の簡単な説明】
【図１】本発明の各実施形態を使用するスロットマシンの正面図である。
【図２】本発明の第１の実施形態のリールユニットを拡大して示す図であって、（ａ）は正面図、（ｂ）はＩＩ−ＩＩ線に沿う断面平面図である。
【図３】同第１の実施形態における、リールブロックの分解斜視図である。
【図４】同第２の実施形態における、リールユニットの断面図である。
【図５】同第２の実施形態における、リールユニットの断面図である。
【図６】従来のリール関連の構成を示す一例であって、（ａ）はリールユニットの斜視図、（ｂ）はリール単体（リールブロック）分解斜視図である。
【図７】従来のリールの外周面に描かれた、シンボルの大きさの例を示す正面図である。
【符号の説明】
ＳＭ  スロットマシン
ＳＢ  シンボル
ＲＵ１，ＲＵ２，ＲＵ３  リールユニット
ＲＢ  リールブロック
α  テーパ
Ｉ  遊技者の眼
１１  前面パネル
１２  表示窓
１３  スタートボタン
１４  ストップボタン
１４ａ  左リールストップボタン
１４ｂ  中央リールストップボタン
１４ｃ  右リールストップボタン
１５  メダル投入口
１６  メダルクレジット表示部
１７  ＭＡＸ投入ボタン
１８（１８ａ，１８ｂ）  効果音を発生するスピーカ
１９  入賞メダル払出し口
２１  状態表示部
３１  リールユニット側板
３１ａ  底板
３１ｂ  背面板
３２，３２Ａ  リール
３２ａ，３２Ａａ  円筒部
３２ｂ  リブ
３２ｃ  出力軸固定孔
３２ｄ，３２Ａｂ  開口部
３３  モータ取付板
３３ａ  折返し部
３３ｂ  ギャップ
３４  モータ
３４ａ  モータの出力軸
３５  照明ボックス
１００  従来のリールユニット
１０１（１０１ａ，１０１ｂ，１０１ｃ）  リール
１０２（１０２ａ）  モータ
１０３（１０３ａ，１０３ｂ，１０３ｃ）  モータ取付板
１０４  リールユニット側板
１０５ａ，１０５ｂ  端カバー
１０６ａ，１０６ｂ  中間カバー
【図１】
2004321436.tif 000003
【図２】
2004321436.tif 000004
【図３】
2004321436.tif 000005
【図４】
2004321436.tif 000006
【図５】
2004321436.tif 000007
【図６】
2004321436.tif 000008
【図７】
2004321436.tif 000009